(57)【要約】      （修正有）【課題】おしゃぶり癖を自然に解消し、兼ねて痒みによる引っ掻き傷の発生を防止するおしゃぶり防止具を提供する。【解決手段】周辺部を正面の手先周囲側に傾斜させた椀状の手首保護部材と、手首保護部材の全体をその正面側から背面側にかけて覆う細かい目の袋ネットと、手首保持部材の背面側に位置する袋ネットの開口部を絞り込んで手首に保持させる手首取付手段とからなり、手首保護部材の正面側中央に対面して位置する袋ネットには柔軟性のあるシートまたはプレートが貼付されている。さらにシートまたはプレートの表面に乳幼児の注意を惹く任意のキャラクターを施す。【選択図】図１
0003155912.tif 000002
【実用新案登録請求の範囲】
【請求項１】
中心部を乳幼児の手首にはめ込み可能にするとともに、周辺部を正面の手先周囲側に傾斜させた椀状の手首保護部材と、該手首保護部材の全体をその正面側から背面側にかけて覆う細かい目の袋ネットと、上記手首保持部材の背面側に位置する袋ネットの開口部を絞り込んで手首に保持させる手首取付手段とからなり、上記手首保護部材の正面側中央に対面して位置する袋ネットには柔軟性のあるシートまたはプレートが貼付されていることを特徴としたおしゃぶり防止具。
【請求項２】
手首保護部材が周辺部を正面方向に突出させるべく緩い曲率の椀状をなすものである請求項１に記載のおしゃぶり防止具。
【請求項３】
袋ネットの開口部を絞り込んで手首に保持させる手首取付手段が、ホック、釦、紐または面ファスナーのうち少なくとも１種又は２種の組み合わせであるところの請求項１〜３のいずれか１に記載のおしゃぶり防止具。
【請求項４】
手首保護部材の正面側中央に対面して位置する袋ネットに貼付されている柔軟性のあるシートまたはプレートの大きさは、乳幼児の略拳大以上の大きさであるところの請求項１〜３のいずれか１に記載のおしゃぶり防止具。
【請求項５】
手首保護部材の正面側中央に対面して位置する袋ネットに貼付されている柔軟性のあるシートまたはプレートの表面には乳幼児の注意を惹く任意の絵柄を表現してなるものであるところの請求項１〜４のいずれか１に記載のおしゃぶり防止具。
【請求項６】
乳幼児の拳より径大の円盤状または方形盤状の板材と、該板材の外周端縁に沿って取り付けられたところの、乳幼児の手先を覆うことができる程度の大きさの軟質筒状体と、該軟質筒状体の開口部付近に取り付けられた手首取り付け手段とからなるおしゃぶり防止具。
【請求項７】
円盤状または方形盤状の板材の外周端縁に沿って取り付けられた軟質筒状体が軟質網状体によって形成されているものである請求項６に記載のおしゃぶり防止具。
【請求項８】
軟質筒状体の開口部付近に取り付けられた手首取り付け手段が、ホック、釦、紐または面ファスナーのうち少なくとも１種又は２種の組み合わせであるところの請求項６又は請求項７に記載のおしゃぶり防止具。
【請求項９】
円盤状または方形盤状の板材の表面には乳幼児の注意を惹く任意の絵柄を表現してなるものであるところの請求項６〜８のいずれか１に記載のおしゃぶり防止具。
【考案の詳細な説明】
【技術分野】
【０００１】
本考案は、乳幼児の指おしゃぶり行為を防止しておしゃぶり癖を解消させるとともに、肌の湿疹等による痒みに伴って無意識的に皮膚を傷つける掻き傷の発生をも防止して乳児の衛生環境の向上をはかることを目的とするものである。
【背景技術】
【０００２】
従来一般に用いられている乳幼児用のおしゃぶりについては、おしゃぶりのフランジ部分に緩衝材を形成することにより肌荒れを防止するようにしたもの（特開２０００−２４５８１１号公報参照）や、おしゃぶりの両側に跨らせてバンド（ベルト）を取り付けることにより、乳児の口から不用意に落下するのを防止するようにしたもの（特開平９−５１９３４号公報参照）が知られている。
【０００３】
またおしゃぶりの外部シールド部に咬合可能なバルブを連結させることによって、咬合異常を防止し、また歯の生えかけ時の違和感を軽減させるようにしたもの（特表２００６−５１４８４４号公報）や、歯固め部を備えたもの（特表２００５−５１６６８１号公報参照）なども知られている。
【０００４】
一方、乳幼児の多くは皮膚表面がアトピー性であることが多く、皮膚に生じた痒みを無意識に掻くことによる掻き傷の発生を防止する目的で、乳幼児の手首から先の部分に乳幼児専用の手袋をはめて対応することがおこなわれている。
【先行技術文献】
【特許文献】
【０００５】
【特許文献１】特開２０００−２４５８１１号公報
【特許文献２】特開平９−５１９３４号公報
【特許文献３】特表２００６−５１４８４４号公報
【特許文献４】特表２００５−５１６６８１号公報
【考案の概要】
【考案が解決しようとする課題】
【０００６】
しかしながら、上記した各特許文献に開示されているものは、いずれも乳幼児の指しゃぶり行為に代えて人工的な器具をしゃぶらせるものであって、おしゃぶり行為そのものをやめさせるためのものではない。指しゃぶりそのものは、乳児の一時の成長の過程には欠かせないものであり、胎児期にも１４週ぐらいから口に手を持っていき、２４週ごろには指を吸う動きをするといわれている。
【０００７】
しかし、おしゃぶり行為はあまり衛生的ではなく、また指がふやけて炎症をおこすこともあり、また成長の一時期を過ぎても指しゃぶりをやめない場合には、その後の成長において乳歯だけでなく永久歯の歯並びや、顔の骨格にも影響するといわれているところから、上記した成長の一時期を過ぎてもやまない場合には、これをやめさせる防止策をとるのが望ましいといえる。
【０００８】
一方、皮膚の引っ掻き傷を防止するための乳幼児専用の手袋を用いた場合においても、引っ掻き傷の防止には効果があるものの、乳幼児は手袋ごと口の中に入れることもあり、所謂おしゃぶり行為そのものを阻止するには十分ではなく、しかも非衛生的であることは明らかである。
【課題を解決するための手段】
【０００９】
上記の課題を解決するために、本考案においては乳幼児の成長の過程に欠かせないおしゃぶりの一時期を過ぎても止まない場合に、おしゃぶり行為を無理なくやめさせ、しかも場合によっては皮膚の引っ掻き傷をおこすのを防止する機能をも兼ね備えたものである。
【００１０】
すなわち本考案は、具体的には中心部を乳幼児の手首にはめ込み可能にするとともに、周辺部を正面の手先周囲側に傾斜させた椀状の手首保護部材と、該手首保護部材の全体をその正面側から背面側にかけて覆う細かい目の袋ネットと、上記手首保護部材の背面側に位置する袋ネットの開口部を絞り込んで手首に保持させる手首取付手段とからなり、上記手首保護部材の正面側中央に対面して位置する袋ネットには柔軟性のあるシートまたはプレートが貼付されていることを特徴としたおしゃぶり防止具に関する。
【００１１】
また本考案は、乳幼児の拳より径大の円盤状または方形盤状の手首保護部材と、該手首保護部材の外周端縁に沿って取り付けられたところの、乳幼児の手先を覆うことができる程度の大きさのネット等の軟質筒状体と、該軟質筒状体の開口部付近に取り付けられた手首取り付け手段とからなるおしゃぶり防止具にも関する。
【００１２】
本考案は、さらに上記のシートまたはプレート、あるいは円盤状または方形盤状の手首保護部材表面に乳幼児の注意を惹く任意の絵柄を表現してなり、また椀状の手首保護部材を覆い、あるいは円盤状または方形盤状の手首保護部材の外周端縁に沿って取り付けられた軟質筒状体が軟質網状体によって形成され、さらにそれらの開口部付近に取り付けられた手首取り付け手段が、ホック、紐、釦、または面ファスナーであるところのおしゃぶり防止具にも関する。
【考案の効果】
【００１３】
本考案は上記したように、手首に取り付けた椀状の手首保護部材を覆う袋ネットの正面には柔軟性のあるシートまたはプレートが貼付されているために、乳幼児が手先を口元に近づけても上記シートまたはプレートが口元を塞いで邪魔をするために手先や指を口の中に入れることができず、次第におしゃぶり癖を解消させることができる。
【００１４】
また椀状の手首保護部材を手首取付け手段により乳幼児の手首に取り付けるようにしたために、乳幼児が不機嫌で暴れた際にも手先を怪我するようなことがなく、さらに上記シートまたはプレートの表面に乳幼児の注意を惹く任意のキャラクターを施した場合においては、乳幼児が絵柄に注意を惹かれておしゃぶりの意欲を忘れさせる効果もある。
【００１５】
さらに乳幼児の手先を覆うことができる軟質筒状体がネットである場合においてはより一層柔軟性に富み、手先の動きの自由を奪うことがないのみならず、さらに通気性においても十分となり衛生的でしかも乳幼児自身の機嫌を損なうことがない。
【００１６】
さらに本考案が、乳幼児の拳より径大の円盤状または方形盤状の手首保護部材と、該手首保護部材の外周端縁に沿って取り付けられたところの、乳幼児の手先を覆うことができる程度の大きさのネット等の軟質筒状体と、該軟質筒状体の開口部付近に取り付けられた手首取り付け手段とからなるおしゃぶり防止具である場合においては、軟質筒状体の先端部に円盤状または方形盤状の手首保護部材が取り付けられているために、乳幼児が手先を口元に近づけても上記板材が口元を塞いで邪魔をするために手先や指を口の中に入れることができず、次第におしゃぶり癖を解消させることができる。
【００１７】
また上記の手首保護部材表面に乳幼児の注意を惹く任意のキャラクターを施した場合においては、乳幼児が絵柄に注意を惹かれておしゃぶりの意欲を忘れさせる効果もある。
【図面の簡単な説明】
【００１８】
【図１】本考案の第１実施例であるおしゃぶり防止具の全体をあらわした斜視図。
【図２】図１に示したおしゃぶり防止具のネットに覆われる手首保護材の側面図。
【図３】図２に示した手首保護材の表側展開図（Ａ）、および裏側展開図（Ｂ）。
【図４】図１に示したおしゃぶり防止具の背面図。
【図５】本考案の第２実施例であるおしゃぶり防止具の全体をあらわした斜視図。
【考案を実施するための形態】
【００１９】
以下において本考案の実施の形態について詳細に説明をする。図１〜４は本考案の第１実施例であり、１は手首保護部材、６は袋ネット、７は手首取付手段、８は袋ネット６に施されたシートまたはプレートをあらわしている。手首保護部材１は、たとえばアクリル樹脂、ポリプロピレン、塩化ビニル樹脂等の熱可塑性樹脂材、あるいはウレタン等の熱可塑性樹脂材等を芯材として用い、これを布地や不織布など比較的柔らかで洗濯が可能な被覆材にて覆ったものの使用が好ましく、またこれらに代えて全体をゴム成形したものであってもよい。
【００２０】
具体的には図３の展開図において、中心部に乳幼児の手首の径より大きめの円穴２を形成できる略ドーナツ状の外形をなすとともに、その周方向の一部を切り欠いて接合端部１ａおよび１ｂを形成し、該接合端部１ａと１ｂとを相互に重ね合わせることにより上記円穴２を縮径させて乳幼児の手首部分にはめ込み可能とするとともに、その周辺部３を手首保護部材１の正面側に位置する乳幼児の手先の周囲側に傾斜させた椀状となるように構成される。
【００２１】
なお手首保護部材１の両端部１ａ・１ｂを相互に重ね合わせた状態において係止する手段としては格別限定はされないが、本実施例においては一方の端部１ａの背面側に凹型の引っ掛けホック４ａおよび丸ホック５ｂ〔図３（Ｂ）参照〕を、また他方の端部１ｂの正面側には凸型の引っ掛けホック４ｂおよび丸ホック５ａ〔図３（Ａ）参照〕を、それぞれ取り付けて相互に係合させることにより、図２にあらわしたように周辺部３を正面側の手先周囲側に傾斜させた椀状の手首保護部材１を構成する。
【００２２】
なお手首保護部材１の両端部１ａ・１ｂを相互に重ね合わせた状態において係止する手段として上記のほかに面ファスナーや釦等を用いることも可能である。また袋ネット６はポリエチレンやナイロン等樹脂製の糸を編んで柔らかい有底の袋状に構成したものであって、有底部を前記した手首保護部材１の正面側に位置させるべく開口部を先頭に手首保護部材１の正面側から背面側に向けて全体を被覆させるように覆い、手首保護部材１の背面側中央に位置する袋ネット６の開口部を上記した手首保護部材１の背面側傾斜面に沿わせつつ絞り込むことにより、手首取付手段７によって乳幼児の手首部分に、手先が容易に抜けない程度に保持させる。
【００２３】
なおこの場合における手首取付手段７については、袋ネット６の開口部周縁に、手首の径近くにまで縮径する弾力性のあるゴム材を装入し、あるいは袋ネット６の開口部周縁に沿って取り付けた取り付け紐により手首に結んで固定させるようにしてもよい。さらにシートまたはプレート８は手首保護部材１内に位置する乳幼児の手先の拳大よりも大きい径のものであって、ポリプロピレンやナイロンなど耐水性があり、しかも比較的柔軟性のあるものが好ましく、袋ネット６の正面側に、前記した手首保護部材１の正面側中央に対面する位置に取り付けられる。
【００２４】
またシートまたはプレート８の表面には乳幼児の注意を惹く任意の絵柄表面には人気のキャラクターなど乳幼児の注意を惹く任意の絵柄９を表現するようにすると、使用時に乳幼児が興味を持って眺め、おしゃぶり行為を忘れさせる効果もある。
【００２５】
つぎに図５には本考案の第２実施例が示されている。同図において、１１はプレート、１３は軟質筒状体、１４は手首取り付け手段をあらわしている。プレート１１は円盤状または方形盤状であって、平面的に、または中央部を表面方向に突出させるべく緩い曲率により椀状に形成する必要があり、たとえばアクリル、ポリプロピレン、ＰＥＴ、塩化ビニル、ウレタン等の各種樹脂や、比較的厚手のゴム材により保形性を有するある程度の厚みがあり、しかも乳幼児の顔に触れても怪我をさせることがなく、また耐水性のある材質のものが選ばれる。
【００２６】
この場合に上記したプレート１１やシートについて、これを不織布や布地により被覆して用いることが望ましいことについては前記した第１実施例の場合と同様である。またプレート１１の表面には人気のキャラクターなど乳幼児の注意を惹く任意の絵柄１２を表現することができる。さらに軟質筒状体１３は乳幼児の手先を覆うことができる程度の大きさであって、その基端を板材１１の外周端縁１１ａに沿って筒状に取り付けてある。
【００２７】
おこの場合の軟質筒状体１３は、乳幼児の手先に装着使用中において、常時良好な通気性を確保するために、望ましくは軟質の網状体１３ａによって形成されるのが好ましい。
さらに軟質筒状体１３の後方開口部付近に取り付けられた手首取り付け手段１４については、軟質筒状体１３の開口部付近を折り返して該開口部の周縁に沿った細長い袋状部１４ａに構成し、この袋状部１４ａに紐１４ｂを凡そ１周半ほど引き通すとともに、該紐１４ｂの両端部を軟質筒状体１３の開口部における対称位置からそれぞれ外方に引き出しておく。
【００２８】
使用に際しては、軟質筒状体１３を開口部を先頭に乳幼児の手先を包むようにはめ込んだ後、紐１４ｂの両端部を互いに反対方向に向けて引っ張ることにより軟質筒状体１３の開口部の開口径が次第に縮小し、手首をあまり締め付けない程度のところで紐１４ｂの両端部をもって不用意に解けない程度に結んでおく。
【００２９】
なお手首取り付け手段１４については、上記の紐１４ｂによるものに限られるものではなく、このほかにも例えば軟質筒状体１３の開口部における適当な位置に一対の係止具（ホック）などを取り付け、あるいは開口部に沿わせて面ファスナーを縫い付けるなどの手段により取り付けておき、使用時において乳幼児の手先に軟質筒状体１３を開口部を先頭にはめ込んだ後、手首より不用意に脱落することがない程度の位置において止着使用するようにしてもよい。
【符号の説明】
【００３０】
１        手首保護部材
１ａ      接合端部
１ｂ      接合端部
２        円穴
３        周辺部
４ａ      凹型の引っ掛けホック
４ｂ      凸型の引っ掛けホック
５ａ      凸型の丸ホック
５ｂ      凹型の丸ホック
６        袋ネット
７        手首取付手段
８        シートまたはプレート
９        絵柄
１１      プレート
１１ａ    外周端縁
１２      絵柄
１３      軟質筒状体
１３ａ    軟質の網状体
１４      手首取り付け手段
１４ａ    袋状部
１４ｂ    袋状部
【図１】
0003155912.tif 000003
【図２】
0003155912.tif 000004
【図３】
0003155912.tif 000005
【図４】
0003155912.tif 000006
【図５】
0003155912.tif 000007
【手続補正書】
【提出日】平成21年10月5日(2009.10.5)
【手続補正１】
【補正対象書類名】明細書
【補正対象項目名】全文
【補正方法】変更
【補正の内容】
【考案の詳細な説明】
【技術分野】
【０００１】
本考案は、乳幼児の指おしゃぶり行為を防止しておしゃぶり癖を解消させるとともに、肌の湿疹等による痒みに伴って無意識的に皮膚を傷つける掻き傷の発生をも防止して乳児の衛生環境の向上をはかることを目的とするものである。
【背景技術】
【０００２】
従来一般に用いられている乳幼児用のおしゃぶりについては、おしゃぶりのフランジ部分に緩衝材を形成することにより肌荒れを防止するようにしたもの（特開２０００−２４５８１１号公報参照）や、おしゃぶりの両側に跨らせてバンド（ベルト）を取り付けることにより、乳児の口から不用意に落下するのを防止するようにしたもの（特開平９−５１９３４号公報参照）が知られている。
【０００３】
またおしゃぶりの外部シールド部に咬合可能なバルブを連結させることによって、咬合異常を防止し、また歯の生えかけ時の違和感を軽減させるようにしたもの（特表２００６−５１４８４４号公報）や、歯固め部を備えたもの（特表２００５−５１６６８１号公報参照）なども知られている。
【０００４】
一方、乳幼児の多くは皮膚表面がアトピー性であることが多く、皮膚に生じた痒みを無意識に掻くことによる掻き傷の発生を防止する目的で、乳幼児の手首から先の部分に乳幼児専用の手袋をはめて対応することがおこなわれている。
【先行技術文献】
【特許文献】
【０００５】
【特許文献１】特開２０００−２４５８１１号公報
【特許文献２】特開平９−５１９３４号公報
【特許文献３】特表２００６−５１４８４４号公報
【特許文献４】特表２００５−５１６６８１号公報
【考案の概要】
【考案が解決しようとする課題】
【０００６】
しかしながら、上記した各特許文献に開示されているものは、いずれも乳幼児の指しゃぶり行為に代えて人工的な器具をしゃぶらせるものであって、おしゃぶり行為そのものをやめさせるためのものではない。指しゃぶりそのものは、乳児の一時の成長の過程には欠かせないものであり、胎児期にも１４週ぐらいから口に手を持っていき、２４週ごろには指を吸う動きをするといわれている。
【０００７】
しかし、おしゃぶり行為はあまり衛生的ではなく、また指がふやけて炎症をおこすこともあり、また成長の一時期を過ぎても指しゃぶりをやめない場合には、その後の成長において乳歯だけでなく永久歯の歯並びや、顔の骨格にも影響するといわれているところから、上記した成長の一時期を過ぎてもやまない場合には、これをやめさせる防止策をとるのが望ましいといえる。
【０００８】
一方、皮膚の引っ掻き傷を防止するための乳幼児専用の手袋を用いた場合においても、引っ掻き傷の防止には効果があるものの、乳幼児は手袋ごと口の中に入れることもあり、所謂おしゃぶり行為そのものを阻止するには十分ではなく、しかも非衛生的であることは明らかである。
【課題を解決するための手段】
【０００９】
上記の課題を解決するために、本考案においては乳幼児の成長の過程に欠かせないおしゃぶりの一時期を過ぎても止まない場合に、おしゃぶり行為を無理なくやめさせ、しかも場合によっては皮膚の引っ掻き傷をおこすのを防止する機能をも兼ね備えたものである。
【００１０】
すなわち本考案は、具体的には中心部を乳幼児の手首にはめ込み可能にするとともに、周辺部を正面の手先周囲側に傾斜させた椀状の手首保護部材と、該手首保護部材の全体をその正面側から背面側にかけて覆う細かい目の袋ネットと、上記手首保護部材の背面側に位置する袋ネットの開口部を絞り込んで手首に保持させる手首取付手段とからなり、上記手首保護部材の正面側中央に対面して位置する袋ネットには柔軟性のあるシートまたはプレートが貼付されていることを特徴としたおしゃぶり防止具に関する。
【００１１】
本考案は、さらに上記のシートまたはプレート、あるいは円盤状または方形盤状の手首保護部材表面に乳幼児の注意を惹く任意の絵柄を表現してなり、また椀状の手首保護部材を覆い、あるいは円盤状または方形盤状の手首保護部材の外周端縁に沿って取り付けられた軟質筒状体が軟質網状体によって形成され、さらにそれらの開口部付近に取り付けられた手首取り付け手段が、ホック、紐、釦、または面ファスナーであるところのおしゃぶり防止具にも関する。
【考案の効果】
【００１２】
本考案は上記したように、手首に取り付けた椀状の手首保護部材を覆う袋ネットの正面には柔軟性のあるシートまたはプレートが貼付されているために、乳幼児が手先を口元に近づけても上記シートまたはプレートが口元を塞いで邪魔をするために手先や指を口の中に入れることができず、次第におしゃぶり癖を解消させることができる。
【００１３】
また椀状の手首保護部材を手首取付け手段により乳幼児の手首に取り付けるようにしたために、乳幼児が不機嫌で暴れた際にも手先を怪我するようなことがなく、さらに上記シートまたはプレートの表面に乳幼児の注意を惹く任意のキャラクターを施した場合においては、乳幼児が絵柄に注意を惹かれておしゃぶりの意欲を忘れさせる効果もある。
【００１４】
さらに乳幼児の手先を覆うことができる軟質筒状体がネットである場合においてはより一層柔軟性に富み、手先の動きの自由を奪うことがないのみならず、さらに通気性においても十分となり衛生的でしかも乳幼児自身の機嫌を損なうことがない。
【００１５】
また上記の手首保護部材表面に乳幼児の注意を惹く任意のキャラクターを施した場合においては、乳幼児が絵柄に注意を惹かれておしゃぶりの意欲を忘れさせる効果もある。
【図面の簡単な説明】
【００１６】
【図１】本考案の第１実施例であるおしゃぶり防止具の全体をあらわした斜視図。
【図２】図１に示したおしゃぶり防止具のネットに覆われる手首保護材の側面図。
【図３】図２に示した手首保護材の表側展開図（Ａ）、および裏側展開図（Ｂ）。
【図４】図１に示したおしゃぶり防止具の背面図。
【考案を実施するための形態】
【００１７】
以下において本考案の実施の形態について詳細に説明をする。図１〜４は本考案の第１実施例であり、１は手首保護部材、６は袋ネット、７は手首取付手段、８は袋ネット６に施されたシートまたはプレートをあらわしている。手首保護部材１は、たとえばアクリル樹脂、ポリプロピレン、塩化ビニル樹脂等の熱可塑性樹脂材、あるいはウレタン等の熱可塑性樹脂材等を芯材として用い、これを布地や不織布など比較的柔らかで洗濯が可能な被覆材にて覆ったものの使用が好ましく、またこれらに代えて全体をゴム成形したものであってもよい。
【００１８】
具体的には図３の展開図において、中心部に乳幼児の手首の径より大きめの円穴２を形成できる略ドーナツ状の外形をなすとともに、その周方向の一部を切り欠いて接合端部１ａおよび１ｂを形成し、該接合端部１ａと１ｂとを相互に重ね合わせることにより上記円穴２を縮径させて乳幼児の手首部分にはめ込み可能とするとともに、その周辺部３を手首保護部材１の正面側に位置する乳幼児の手先の周囲側に傾斜させた椀状となるように構成される。
【００１９】
なお手首保護部材１の両端部１ａ・１ｂを相互に重ね合わせた状態において係止する手段としては格別限定はされないが、本実施例においては一方の端部１ａの背面側に凹型の引っ掛けホック４ａおよび丸ホック５ｂ〔図３（Ｂ）参照〕を、また他方の端部１ｂの正面側には凸型の引っ掛けホック４ｂおよび丸ホック５ａ〔図３（Ａ）参照〕を、それぞれ取り付けて相互に係合させることにより、図２にあらわしたように周辺部３を正面側の手先周囲側に傾斜させた椀状の手首保護部材１を構成する。
【００２０】
なお手首保護部材１の両端部１ａ・１ｂを相互に重ね合わせた状態において係止する手段として上記のほかに面ファスナーや釦等を用いることも可能である。また袋ネット６はポリエチレンやナイロン等樹脂製の糸を編んで柔らかい有底の袋状に構成したものであって、有底部を前記した手首保護部材１の正面側に位置させるべく開口部を先頭に手首保護部材１の正面側から背面側に向けて全体を被覆させるように覆い、手首保護部材１の背面側中央に位置する袋ネット６の開口部を上記した手首保護部材１の背面側傾斜面に沿わせつつ絞り込むことにより、手首取付手段７によって乳幼児の手首部分に、手先が容易に抜けない程度に保持させる。
【００２１】
なおこの場合における手首取付手段７については、袋ネット６の開口部周縁に、手首の径近くにまで縮径する弾力性のあるゴム材を装入し、あるいは袋ネット６の開口部周縁に沿って取り付けた取り付け紐により手首に結んで固定させるようにしてもよい。さらにシートまたはプレート８は手首保護部材１内に位置する乳幼児の手先の拳大よりも大きい径のものであって、ポリプロピレンやナイロンなど耐水性があり、しかも比較的柔軟性のあるものが好ましく、袋ネット６の正面側に、前記した手首保護部材１の正面側中央に対面する位置に取り付けられる。
【００２２】
またシートまたはプレート８の表面には乳幼児の注意を惹く任意の絵柄表面には人気のキャラクターなど乳幼児の注意を惹く任意の絵柄９を表現するようにすると、使用時に乳幼児が興味を持って眺め、おしゃぶり行為を忘れさせる効果もある。
【符号の説明】
【００２３】
１        手首保護部材
１ａ      接合端部
１ｂ      接合端部
２        円穴
３        周辺部
４ａ      凹型の引っ掛けホック
４ｂ      凸型の引っ掛けホック
５ａ      凸型の丸ホック
５ｂ      凹型の丸ホック
６        袋ネット
７        手首取付手段
８        シートまたはプレート
９        絵柄
【手続補正２】
【補正対象書類名】実用新案登録請求の範囲
【補正対象項目名】全文
【補正方法】変更
【補正の内容】
【実用新案登録請求の範囲】
【請求項１】
中心部を乳幼児の手首にはめ込み可能にするとともに、周辺部を正面の手先周囲側に傾斜させた椀状の手首保護部材と、該手首保護部材の全体をその正面側から背面側にかけて覆う細かい目の袋ネットと、上記手首保持部材の背面側に位置する袋ネットの開口部を絞り込んで手首に保持させる手首取付手段とからなり、上記手首保護部材の正面側中央に対面して位置する袋ネットには柔軟性のあるシートまたはプレートが貼付されていることを特徴としたおしゃぶり防止具。
【請求項２】
手首保護部材が周辺部を正面方向に突出させるべく緩い曲率の椀状をなすものである請求項１に記載のおしゃぶり防止具。
【請求項３】
袋ネットの開口部を絞り込んで手首に保持させる手首取付手段が、ホック、釦、紐または面ファスナーのうち少なくとも１種又は２種の組み合わせであるところの請求項１または２記載のおしゃぶり防止具。
【請求項４】
手首保護部材の正面側中央に対面して位置する袋ネットに貼付されている柔軟性のあるシートまたはプレートの大きさは、乳幼児の略拳大以上の大きさであるところの請求項１〜３のいずれか１に記載のおしゃぶり防止具。
【請求項５】
手首保護部材の正面側中央に対面して位置する袋ネットに貼付されている柔軟性のあるシートまたはプレートの表面には乳幼児の注意を惹く任意の絵柄を表現してなるものであるところの請求項１〜４のいずれか１に記載のおしゃぶり防止具。
【手続補正３】
【補正対象書類名】図面
【補正対象項目名】図５
【補正方法】削除
【補正の内容】